(57)【要約】【課題】ヒンジ機構部分の強度をより大きくすること。【解決手段】第１筐体１と、第２筐体２と、第１筐体１を第２筐体２に軸心線６を中心に回転可能に支持するヒンジ機構部分３とを具備している。ヒンジ機構部分３は、第１筐体１に支持される第１管３１と、第２筐体２に支持される第２管４と、第１管３１と第２管４とを軸心線６を中心に回転可能に支持する管継ぎ手５とを備えている。第１管３１の内部３２は、管継ぎ手５を介して第２管４の内部に接続される。第１筐体１の内部に配置される第１電子基板と第２筐体２の内部に配置される第２電子基板とを電気的に接続するケーブル２９は、第１管３１と第２管４とに通されている。このようなヒンジ機構部分３は、内部に空洞がないヒンジよりヒンジの径が大きく、強度が大きい。【選択図】図１
2004023438.tif 000002
【特許請求の範囲】
【請求項１】
第１筐体と、
第２筐体と、
前記第１筐体を前記第２筐体に軸心線を中心に回転可能に支持するヒンジ機構部分とを具備し、
前記ヒンジ機構部分は、
前記第１筐体に支持される第１管と、
前記第２筐体に支持される第２管と、
前記第１管と前記第２管とを前記軸心線を中心に回転可能に支持する管継ぎ手とを備え、
前記第１管の内部は、前記管継ぎ手を介して前記第２管の内部に接続される
折り畳み式携帯情報端末。
【請求項２】
請求項１において、
前記第１筐体の内部に配置される第１電子基板と前記第２筐体の内部に配置される第２電子基板とを電気的に接続するケーブルを更に具備し、
前記第１管の内部は、前記第１筐体の内部に接続され、
前記第２管の内部は、前記第２筐体の内部に接続され、
前記ケーブルは、前記第１管と前記第２管とに通される
ことを特徴とする折り畳み式携帯情報端末。
【請求項３】
請求項２において、
前記ヒンジ機構部分は、
前記第１筐体の内部と前記第１管の内部とを接続し、前記第１管に同体に接合される第３管と、
前記軸心線と平行でない他の軸心線を中心に回転可能に前記第３管を前記第１筐体に支持する他の管継ぎ手を更に備え、
前記ケーブルは、前記第３管に更に通される
ことを特徴とする折り畳み式携帯情報端末。
【請求項４】
請求項２において、
前記ヒンジ機構部分は、
前記第１筐体に支持される第４管と、
前記第４管と前記第２管とを前記軸心線を中心に回転可能に支持する他の管継ぎ手とを備え、
前記第２管は、両端のうちの一端が前記第１管に接続され、前記両端のうちの他端が前記第４管に接続される
ことを特徴とする折り畳み式携帯情報端末。
【請求項５】
請求項４において、
前記第１電子基板と前記第２電子基板とを電気的に接続する他のケーブルを更に具備し、
前記第４管は、前記第１筐体の内部を前記第２管の内部に接続し、
前記他のケーブルは、前記第４管と前記第２管とに通される
ことを特徴とする折り畳み式携帯情報端末。
【請求項６】
請求項３において、更に、
前記第１管または前記第２管の内部に配置される電子機器
を具備することを特徴とする折り畳み式携帯情報端末。
【請求項７】
請求項６において、
前記電子機器は、メモリーカードに記載されている情報を読み出すメモリーカードリーダである
ことを特徴とする折り畳み式携帯情報端末。
【請求項８】
請求項６において、更に、
前記電子機器は、カメラである
ことを特徴とする折り畳み式携帯情報端末。
【発明の詳細な説明】
【０００１】
【発明の属する技術分野】
本発明は、折り畳み式携帯情報端末に関し、特に、無線通信回線網を介して情報を通信し、互いに折り畳むことが可能である複数の筐体で構成される折り畳み式携帯情報端末に関する。
【０００２】
【従来の技術】
携帯電話機は、その携帯性を高めるため小型化が求められている。非使用時に小さくなり、使用時に操作しやすく、表示が見やすい大きさになるように、携帯電話機を複数の筐体で構成し、これらをヒンジで連結し折り畳むことが可能な折り畳み式携帯電話機が広く使用されている。
【０００３】
図７は、公知の折り畳み式携帯電話機を示している。その折り畳み式携帯電話機１００は、液晶側筐体１０１、キーボード側筐体１０２およびヒンジ機構部分１０３から形成されている。ヒンジ機構部分１０３は、キーボード側両側円筒体１０４、キーボード側中央側円筒体１０５、２つの液晶側円筒体１０６およびヒンジ機構１０７から形成されている。キーボード側両側円筒体１０４とキーボード側中央側円筒体１０５とは、キーボード側筐体１０２に一体に成形されて結合している。液晶側円筒体１０６は、液晶側筐体１０１に一体に成形されて結合している。
【０００４】
ヒンジ機構１０７は、キーボード側両側円筒体１０４の外側からキーボード側両側円筒体１０４と液晶側円筒体１０６との内部に挿入される。ヒンジ機構１０７は、液晶側円筒体１０６をキーボード側両側円筒体１０４に対して回転可能に支持し、液晶側筐体１０１とキーボード側筐体１０２とを折り畳み可能に支持している。
【０００５】
折り畳み式携帯電話機１００は、さらに、ケーブル１０８を備えている。ケーブル１０８は、液晶側円筒体１０６の内部とキーボード側中央側円筒体１０５の内部を通って、液晶側筐体１０１の内部からキーボード側筐体１０２の内部に通され、液晶側筐体１０１の内部に配置されている電子基板とキーボード側筐体１０２の内部に配置されている電子基板とを電気的に接続している。
【０００６】
折り畳み式携帯電話機は、ヒンジ機構部分１０３の強度が大きいことが望まれている。折り畳み式携帯電話機は、さらに、機能が多様化されることが望まれている。
【０００７】
【発明が解決しようとする課題】
本発明の課題は、ヒンジ機構部分の強度がより大きい折り畳み式携帯情報端末を提供することにある。
本発明のさらに他の課題は、より多機能である折り畳み式携帯情報端末を提供することにある。
【０００８】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【０００９】
本発明による折り畳み式携帯情報端末（１０）（５０）は、第１筐体（１）と、第２筐体（２）と、第１筐体（１）を第２筐体（２）に軸心線（６）を中心に回転可能に支持するヒンジ機構部分（３）（５３）とを具備している。ヒンジ機構部分（３）（５３）は、第１筐体（１）に支持される第１管（３１）と、第２筐体（２）に支持される第２管（４）（５４）と、第１管（３１）と第２管（４）（５４）とを軸心線（６）を中心に回転可能に支持する管継ぎ手（５）（５５−１）とを備えている。第１管（３１）の内部（３２）は、管継ぎ手（５）（５５−１）を介して第２管（４）（５４）の内部に接続される。
【００１０】
このようなヒンジ機構部分（３）（５３）は、内部に空洞がないヒンジよりヒンジの径が大きく、強度が大きく好ましい。第１管（３１）または第２管（４）（５４）は、管状体に置換することもできる。このような管状体としては、管を流路方向に半分に分割した形状の半割り管が例示される。
【００１１】
第１筐体（１）の内部に配置される第１電子基板と第２筐体（２）の内部に配置される第２電子基板とを電気的に接続するケーブル（２９）を更に具備している。第１管（３１）の内部（３２）は、第１筐体（１）の内部に接続されている。第２管（４）（５４）の内部は、第２筐体（２）の内部に接続されている。ケーブル（２９）は、第１管（３１）と第２管（４）（５４）とに通されていることが好ましい。
【００１２】
ヒンジ機構部分（３）（５３）は、第３管（２３）と他の管継ぎ手（６１）とを更に備えている。第３管（２３）は、第１筐体（１）の内部と第１管（３１）の内部とを接続し、第１管（３１）に同体に接合されている。その管継ぎ手（６１）は、軸心線（６）と平行でない他の軸心線（７）を中心に回転可能に第３管（２３）に第１筐体（１）を支持している。ケーブル（２９）は、第３管（２３）に更に通されていることが好ましい。折り畳み式携帯情報端末（１０）は、第１筐体（１）が表示装置（９）を備えているときに、その表示装置（９）の表示面を任意の方向に向けることができる。この結果、折り畳み式携帯情報端末（１０）は、折り畳んだときに、表示面を内側または外側に配置することができる。このような管継ぎ手（６１）は、内部に空洞がないヒンジよりヒンジの径が大きく、強度が大きい。
【００１３】
ヒンジ機構部分（５３）は、第１筐体（１）に支持される第４管（５５−２）と、第４管と第２管（５４）とを軸心線（６）を中心に回転可能に支持する他の管継ぎ手（６１）とを備えている。第２管（５４）は、両端のうちの一端が第１管（３１）に接続され、両端のうちの他端が第４管に接続される。折り畳み式携帯情報端末（５０）は、第１筐体（１）と第２筐体（２）とを２つの管継ぎ手（５１−１、５５−２）とにより支持することにより、さらに強度が大きい点で好ましい。
【００１４】
本発明による折り畳み式携帯情報端末（５０）は、第１電子基板と第２電子基板とを電気的に接続する他のケーブルを更に具備している。第４管は、第１筐体（１）の内部を第２管（５４）の内部に接続し、他のケーブルは、第４管と第２管（５４）とに通される。第１電子基板と第２電子基板とを電気的に接続するケーブルを２つに分割することができるので、分割しないときより第１管（３１）と第２管（５４）との内径を小さくすることができ好ましい。
【００１５】
本発明による折り畳み式携帯情報端末（１０）（５０）は、さらに、第１管（３１）または第２管（４）（５４）の内部に配置される電子機器を具備している。すなわち、折り畳み式携帯情報端末（１０）は、第１筐体（１）と第２筐体（２）との内部に配置されていた電子機器を第１管（３１）または第２管（４）（５４）の内部に配置することができ、第１筐体（１）と第２筐体（２）とを小型化することができる。または、折り畳み式携帯情報端末（１０）は、さらに機能を追加して多機能化することができる。
【００１６】
その電子機器は、メモリーカードに記載されている情報を読み出すメモリーカードリーダであることが好ましい。電子機器は、カメラであることが好ましい。
【００１７】
【発明の実施の形態】
図面を参照して、本発明による折り畳み式携帯情報端末の実施の形態は、液晶側筐体とキーボード側筐体との間にヒンジ機構が設けられている。その折り畳み式携帯情報端末１０は、図１に示されているように、液晶側筐体１、キーボード側筐体２およびヒンジ機構部分３を備えている。液晶側筐体１とキーボード側筐体２とは、概ね直方体を形成している。ヒンジ機構部分３は、管状体４とヒンジユニット５とから形成されている。管状体４は、キーボード側筐体２に一体に成形されて結合し、管状体４の内部は、キーボード側筐体２の内部につながっている。管状体４の直径は、液晶側筐体１の厚さおよびキーボード側筐体２の厚さより大きく、液晶側筐体１の厚さとキーボード側筐体２の厚さとの和より小さい。なお、管状体４の直径は、液晶側筐体１の厚さとキーボード側筐体２の厚さとの和より大きくすることもできる。
【００１８】
ヒンジユニット５は、管状体４に支持され、キーボード側筐体２に対して液晶側筐体１を変位可能に支持している。すなわち、ヒンジユニット５は、キーボード側筐体２に対して液晶側筐体１を、軸心線６を中心に回転可能に、かつ、軸心線７を中心に回転可能に支持している。軸心線６は、キーボード側筐体２の１つのキーボード側表面１１に平行であり、キーボード側筐体２のヒンジ機構部分３の側の辺に平行である。軸心線７は、液晶側筐体１の１つの液晶側表面１２に平行であり、軸心線６とのなす角が垂直である。
【００１９】
キーボード側筐体２は、キーボード側表面１１にキーボード８と図示されていないマイクとを備えている。液晶側筐体１には、液晶側表面１２に液晶ディスプレイである表示装置９と図示されていないスピーカとが設けられている。キーボード８は、ユーザにより操作されて、電話番号、送信する電子メールの本文などが入力される。表示装置９は、受信する電子メールの本文などを表示する。
【００２０】
折り畳み式携帯情報端末１０は、液晶側表面１２が軸心線６に平行になり、キーボード側表面１１が通話者の口に接近し、液晶側表面１２がその耳に接近するように、液晶側筐体１とキーボード側筐体２とを変位されて、電話機として使用される。
【００２１】
図２は、ヒンジユニット５を詳細に示している。ヒンジユニット５は、ヒンジボディ２１、ヒンジヘッド２２および先端部分２３を備えている。ヒンジヘッド２２は、ヒンジボディ２１に回転可能に支持されている。ヒンジヘッド２２は、管状体４の空洞に嵌め込まれて、キーボード側筐体２に同体に結合される。ヒンジボディ２１とヒンジヘッド２２は、内側に円筒３２を形成している。円筒３２は、ヒンジヘッド２２と管状体４とが接合されているときに、管状体４の空洞につながり、キーボード側筐体２の内部につながっている。
【００２２】
先端部分２３は、内部に円筒６２を有する管状体を形成し、一端がヒンジボディ２１に同体に接合されている。このとき、円筒６２は、円筒３２につながっている。液晶側筐体１は、２つのカバー２６、２７が組み立てられて形成されている。カバー２６は、液晶側表面１２を有し、表示装置９を備えている。カバー２７とカバー２７とは、組み立てられたときに、先端部分２３とともに管継ぎ手６１を形成する。管継ぎ手６１は、フランジ２４、楕円フランジ２５および円筒６４とから形成されている。フランジ２４と楕円フランジ２５とは、それぞれ、先端部分２３の他端から先端部分２３の軸方向に垂直に円盤状に張り出している部分であり、先端部分２３に一体に成形されて接合されている。楕円フランジ２５は、フランジ２４より先端部分２３の他端寄りに配置されている。フランジ２４は、先端部分２３の軸方向に垂直に切断した断面が円である。楕円フランジ２５は、先端部分２３の軸方向に垂直に切断した断面が楕円であり、短軸が円筒３２の軸に垂直になるように形成されている。
【００２３】
円筒６４は、カバー２６とカバー２７とにそれぞれ形成される切り欠きにより形成される。円筒６４の直径は、フランジ２４の直径より小さく、楕円フランジ２５の短軸より小さく、かつ、先端部分２３の直径より大きい。カバー２７とカバー２７とは、円筒６４がフランジ２４と楕円フランジ２５との間に配置されるように、液晶側筐体１に組み立てられる。すなわち、管継ぎ手６１は、液晶側筐体１の内部と円筒６２とを繋げ、液晶側筐体１が先端部分２３に対して軸心線７の方向に変位しないように支持し、液晶側筐体１を先端部分２３に軸心線７を中心に回転可能に支持している。
【００２４】
カバー２７は、内側に板ばね２８を備えている。板ばね２８は、液晶側表面１２に垂直に外側から先端部分２３の中心軸に向かって楕円フランジ２５の側面を付勢している。このような付勢は、付勢している方向と楕円フランジ２５の短軸とが一致するように、先端部分２３に対して液晶側筐体１を回転させる。この結果、液晶側筐体１の液晶側表面１２は、軸心線６と平行になるように維持される。なお、カバー２６も、板ばね２８を備えることができる。このとき、液晶側筐体１とキーボード側筐体２とは、液晶側表面１２が軸心線６と平行になるように、より確実に維持されることができる。
【００２５】
液晶側筐体１とキーボード側筐体２とは、それぞれ内部に電子基板を備えている。その電子基板は、折り畳み式携帯情報端末１０を携帯電話機またはインターネットの端末として機能させる。折り畳み式携帯情報端末１０は、さらに、ケーブル２９を備えている。ケーブル２９は、空洞６２、３２を通って、液晶側筐体１の内部からキーボード側筐体２の内部に通され、その電子基板を電気的に接続している。ケーブル２９は、さらに、液晶側筐体１の内部に配置される電子基板にスイベル接続されている。このとき、折り畳み式携帯情報端末１０は、ケーブル２９がひねられることなく、液晶側筐体１を連続的に回転することができる。
【００２６】
図３は、ヒンジユニット５をさらに詳細に示している。ヒンジボディ２１は、内部に円筒３２を有する六角柱状の管状体３１が形成されている。ヒンジユニット５は、さらに、摩擦板３３、３４を備えている。摩擦板３３には、六角形状の穴が形成されている。摩擦板３４は、円状の穴が形成されている。摩擦板３３は、摩擦面３５を有し、摩擦面３５に突起３７が形成されている。摩擦板３４は、摩擦面３６を有し、摩擦面３６の適当な位置に突起３７より径が大きい穴３８が２つ形成されている。摩擦板３４には、さらに、外周部分に凸部３９が形成されている。ヒンジヘッド２２には、切り欠き４０が形成されている。
【００２７】
ヒンジユニット５は、さらに、摩擦板４１、４２、皿ばね４５および圧入板４６を備えている。摩擦板４１は、摩擦面４３を有し、円形の穴が形成されている。摩擦板４２は、摩擦面４４を有し、六角形状の穴が形成されている。皿ばね４５は、弾性体から形成され、円形の穴が形成されている。圧入板４６は、六角形状の穴が形成されている。
【００２８】
管状体３１は、摩擦板３３の六角形状の穴に嵌め込まれ、摩擦板３４の円状の穴に嵌め込まれる。このとき、摩擦板３３と摩擦板３４とは、摩擦面３５と摩擦面３６とが対向するように、配置される。管状体３１は、さらに、摩擦板３４の凸部３９が切り欠き４０に嵌め込まれるように、ヒンジヘッド２２が嵌め込まれる。
【００２９】
管状体３１は、さらに、摩擦板４１の円形の穴に嵌め込まれ、摩擦板４２の六角形状の穴に嵌め込まれる。このとき、摩擦板４１と摩擦板４２とは、摩擦面４３と摩擦面４４とが対向するように配置される。管状体３１は、さらに、皿ばね４５の穴に嵌め込まれ、圧入板４６の穴に嵌め込まれる。最後に、圧入板４６は、かしめられて管状体３１に同体に固定される。このとき、皿ばね４５は、摩擦面３５と摩擦面３６とに、および、摩擦面４３と摩擦面４４とに加わる摩擦力が大きくなる方向に弾性力を付勢している。
【００３０】
ヒンジユニット５は、キーボード側筐体２に対して液晶側筐体１を回転させたときに、摩擦面３５と摩擦面３６とが摺動し、摩擦面４３と摩擦面４４とが摺動し、その摩擦力により任意の位置でキーボード側筐体２と液晶側筐体１との角度を維持させることができる。ヒンジユニット５は、さらに、液晶側筐体１とキーボード側筐体２とを折り畳んだときに、突起３７が１つの穴３８に引っ掛かり、折り畳まれた状態を維持することができる。ヒンジユニット５は、電話機として使用するときに、突起３７が他の１つの穴３８に引っ掛かり、液晶側筐体１とキーボード側筐体２とを適当な角度に維持することができる。
【００３１】
折り畳み式携帯情報端末１０は、さらに、管状体４の内部の空洞に電子機器を配置することができる。このとき、折り畳み式携帯情報端末１０は、他の機能を追加することができる。このような電子機器としては、被写体の映像を撮像するカメラ、メモリーカードに記載された情報を読み取るメモリーカードリーダが例示される。または、折り畳み式携帯情報端末１０は、液晶側筐体１またはキーボード側筐体２の内部に配置される電子機器の一部を管状体４の内部に配置することにより、液晶側筐体１またはキーボード側筐体２を小さくして携帯性を高めることができる。
【００３２】
折り畳み式携帯情報端末１０は、図４に示されているように、キーボード側表面１１と液晶側表面１２とが対向するように折り畳まれることができる。このとき、折り畳み式携帯情報端末１０は、表示装置９の表面を汚すことなく、または、キーボード８を誤操作することなく携帯することができる。折り畳み式携帯情報端末１０は、さらに、図５に示されているように、液晶側表面１２が外側に露出するように折り畳まれることができる。このとき、ユーザは、折り畳まれた状態で表示装置９を閲覧することができる。
【００３３】
図６は、本発明による折り畳み式携帯情報端末の実施の他の形態を示している。その折り畳み式携帯情報端末５０は、既述の実施の形態における折り畳み式携帯情報端末１０と同様に、液晶側筐体１とキーボード側筐体２とを備えている。折り畳み式携帯情報端末５０は、さらに、キーボード側筐体２に対して軸心線６を中心に回転可能に液晶側筐体１を支持するヒンジ機構部分５３を備えている。すなわち、折り畳み式携帯情報端末５０は、既述の実施の形態におけるヒンジ機構部分３とは異なり、２軸に回転することができない。
【００３４】
ヒンジ機構部分５３は、管状体５４と２つのヒンジユニット５５−１〜５５−２とから形成されている。管状体５４は、キーボード側筐体２に一体に成形されて結合し、軸心線６の方向に延びている。管状体５４は、中央に穴が形成され、内部がキーボード側筐体２に内部と繋がっている。ヒンジユニット５５−１〜５５−２は、管状体５４の両端にそれぞれ接合されている。ヒンジユニット５５−ｉ（ｉ＝１，２）は、既述の実施の形態におけるヒンジユニット５と同様に、キーボード側筐体２と液晶側筐体１とを軸心線６を中心に回転可能に支持し、管状体５４の内部と液晶側筐体１の内部とを接続している。
【００３５】
液晶側筐体１とキーボード側筐体２とは、それぞれ内部に電子基板を備えている。その電子基板を電気的に接続しているケーブルは、ヒンジユニット５５−１〜５５−２をそれぞれ通って、液晶側筐体１の内部からキーボード側筐体２の内部にわたっている。このとき、ヒンジユニット５５−１〜５５−２は、既述の実施の形態におけるヒンジユニット５に比較して、内径を小さくすることができる。ヒンジ機構部分５３は、２つのヒンジユニット５５−１〜５５−２により液晶側筐体１とキーボード側筐体２とを強固に支持することができる。折り畳み式携帯情報端末５０は、既述の実施の形態における折り畳み式携帯情報端末１０と同様に、さらに、管状体５４の内部の空洞に電子機器を配置することができる。
【００３６】
【発明の効果】
本発明による折り畳み式携帯情報端末は、ヒンジ機構部分の強度がより大きく丈夫である。
【図面の簡単な説明】
【図１】図１は、本発明による折り畳み式携帯情報端末の実施の形態を示す斜視図である。
【図２】図２は、ヒンジ機構部分を示す分解斜視図である。
【図３】図３は、ヒンジ機構部分を詳細に示す分解斜視図である。
【図４】図４は、折り畳み式携帯情報端末が折り畳まれた状態を示す斜視図である。
【図５】図５は、折り畳み式携帯情報端末が折り畳まれた他の状態を示す斜視図である。
【図６】図６は、本発明による折り畳み式携帯情報端末の実施の他の形態を示す斜視図である。
【図７】図７は、公知の折り畳み式携帯情報端末の実施の形態を示す分解斜視図である。
【符号の説明】
１　：液晶側筐体
２　：キーボード側筐体
３　：ヒンジ機構部分
４　：管状体
５　：ヒンジユニット
６　：軸心線
７　：軸心線
８　：キーボード
９　：表示装置
１０：折り畳み式携帯情報端末
１１：キーボード側表面
１２：液晶側表面
２１：ヒンジボディ
２２：ヒンジヘッド
２３：先端部分
２４：フランジ
２５：楕円フランジ
２６：カバー
２７：カバー
２８：板ばね
２９：ケーブル
６１：管継ぎ手
６２：空洞
６４：円筒
３１：管状体
３２：円筒
３３：摩擦板
３４：摩擦板
３５：摩擦面
３６：摩擦面
３７：突起
３８：穴
３９：凸部
４０：切り欠き
４１：摩擦板
４２：摩擦板
４３：摩擦面
４４：摩擦面
４５：皿ばね
４６：圧入板
４７：凸部
４８：切り欠き
【図１】
2004023438.tif 000003
【図２】
2004023438.tif 000004
【図３】
2004023438.tif 000005
【図４】
2004023438.tif 000006
【図５】
2004023438.tif 000007
【図６】
2004023438.tif 000008
【図７】
2004023438.tif 000009